【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
中央局、無線基地局及び移動端末からなる無線通信システムにおいて、移動端末を遠隔制御する方法であって、移動端末は中央局の発信番号を記憶しており、
移動端末と異なる電話機から中央局へ移動端末への動作を指示する情報と移動端末に関する顧客情報とを送信するステップと、
中央局は、受信した顧客情報が中央局に記憶されている移動端末に関する顧客情報と一致する場合に、パスワードを生成するステップと、
中央局は、無線基地局を介して、中央局の発信番号、動作を指示する情報及び生成したパスワードを移動端末へ送信するステップと、
移動端末は、中央局から送信された発信番号及びパスワードが、移動端末に記憶されている発信番号及び移動端末が生成したパスワードとそれぞれ一致する場合に、動作を指示する情報に基づいて動作を行うステップと
を含む方法。
【請求項２】
中央局が生成するパスワードと移動端末が生成するパスワードは、少なくとも移動端末の識別番号を含む中央局と移動端末に共通の情報を用いて、中央局及び移動端末において同一の方法によりそれぞれ独立に生成される請求項１に記載の方法。
【請求項３】
中央局及び移動端末は移動端末に関する動的な情報を共有しており、中央局と移動端末が生成するそれぞれのパスワードは、少なくとも移動端末の識別番号及び/または動的な情報を用いて、中央局及び移動端末において同一の方法によりそれぞれ独立に生成される請求項１に記載の方法。
【請求項４】
移動端末は、無線通信部分を取り除いた端末と無線通信部分からなる無線通信モジュールとから構成されており、無線通信部分を取り除いた端末と無線通信モジュールとは、インターフェースを介して信号の送受信を行うものであり、パスワードは無線通信モジュールにおいて生成され、中央局の発信番号が無線通信モジュールに記憶されている請求項１に記載の方法。
【請求項５】
中央局、無線基地局及び移動端末からなり、前記移動端末を遠隔制御する無線通信システムであって、
前記移動端末と異なる電話機から中央局へ移動端末への動作を指示する情報と移動端末に関する顧客情報とを送信し、
中央局は、受信した顧客情報が中央局に記憶されている移動端末に関する顧客情報と一致する場合に、パスワードを生成し、無線基地局を介して中央局の発信番号、動作を指示する情報及びパスワードを移動端末へ送信し、
移動端末は、中央局から送信された発信番号及びパスワードが、移動端末に記憶されている発信番号及び移動端末が生成したパスワードとそれぞれ一致する場合に、動作を指示する情報に基づいた動作を行う、
無線通信システム。
【請求項６】
中央局が生成するパスワードと移動端末が生成するパスワードは、少なくとも移動端末の識別番号を含む中央局と移動端末に共通の情報を用いて、中央局及び移動端末において同一の方法によりそれぞれ独立に生成される請求項５に記載の無線通信システム。
【請求項７】
中央局及び移動端末は移動端末に関する動的な情報を共有しており、中央局と移動端末が生成するそれぞれのパスワードは、少なくとも前記移動端末の識別番号及び/または動的な情報を用いて、中央局及び移動端末において同一の方法によりそれぞれ独立に生成される請求項５に記載の無線通信システム。
【請求項８】
移動端末は、無線通信部分を取り除いた端末と無線通信部分からなる無線通信モジュールとから構成されており、無線通信部分を取り除いた端末と無線通信モジュールとは、インターフェースを介して信号の送受信を行うものであり、パスワードは無線通信モジュールにおいて生成され、中央局の発信番号が無線通信モジュールに記憶されている請求項５に記載の無線通信システム。
【請求項９】
無線通信システムにおいて遠隔制御される移動端末であって、無線通信システムは、中央局、無線基地局及び移動端末からなり、移動端末は、
中央局が送信する発信番号を記憶する記憶手段と、
中央局から無線基地局を介して送信されるパスワード、発信番号及び動作を指示する情報を受信する手段と、
中央局から送信される発信番号及びパスワードと、移動端末に記憶されている発信番号及び移動体端末が独自に生成したパスワードとをそれぞれ比較する手段とを有し、
比較の結果、発信番号とパスワードがそれぞれ一致を示す場合に、中央局から送信された動作を指示する情報に基づく動作を行う移動端末。
【請求項１０】
パスワードは、少なくとも移動端末の識別番号を用いて、中央局がパスワードを生成する方法と同一の方法により生成される、請求項９に記載の移動端末。
【請求項１１】
移動端末は移動端末に関する動的な情報を有しており、パスワードの生成は、少なくとも移動端末の識別番号及び/または動的な情報を用いて、中央局がパスワードを生成する方法と同一の方法により生成される、請求項９に記載の移動端末。
【請求項１２】
移動端末は、無線通信部分を取り除いた端末と無線通信部分からなる無線通信モジュールとから構成されており、無線通信部分を取り除いた端末と無線通信モジュールとは、インターフェースを介して信号の送受信を行うものであり、パスワードは、無線通信モジュールにおいて生成され、中央局の発信番号が無線通信モジュールに記憶されている請求項９に記載の移動端末。
【請求項１３】
中央局、無線基地局及び移動端末とからなる無線通信システムにおいて、移動端末を遠隔制御するために使用されるプログラムであって、移動端末は、このプログラムと中央局の発信番号を記憶しており、移動端末が中央局から無線基地局を介してパスワードと発信番号と動作を指示する情報を受信すると、
パスワードを生成する処理と、
中央局から送信された発信番号及びパスワードと移動端末に記憶されている発信番号及び移動端末が生成したパスワードとをそれぞれ比較する処理と、
比較の結果、それぞれが一致をした場合に、動作を指示する情報に基づいた動作を行う処理と
を移動端末に実行させるプログラム。
【請求項１４】
中央局が生成するパスワードと移動端末が生成するパスワードは、少なくとも前記移動端末の識別番号を含む中央局と移動端末に共通の情報を用いて、中央局及び移動端末において同一の方法によりそれぞれ独立に生成されることを特徴とする請求項１３に記載のプログラム。
【請求項１５】
中央局及び移動端末は移動端末に関する動的な情報を共有しており、中央局と移動端末が生成するそれぞれのパスワードは、少なくとも前記移動端末の識別番号及び/または動的な情報を用いて、中央局及び移動端末において同一の方法によりそれぞれ独立に生成されることを特徴とする請求項１３に記載のプログラム。
【手続補正２】
【補正対象書類名】明細書
【補正対象項目名】０００６
【補正方法】変更
【補正の内容】
【０００６】
その他、他の通信装置から入力される暗証番号と予め定められている暗証番号との一致を確認した後、リモート操作信号によって、以後の発信先電話番号を任意の番号に固定し、また自己のメモリの読み出しを禁止する移動無線通信装置に関する提案（例えば、特許文献５）や、予めロック処理用電話番号として登録された電話番号と着信信号に含まれる発呼者電話番号とが一致する場合にロック処理を行う提案（例えば、特許文献６）がなされている。
【特許文献１】特許第３６３１７０６号
【特許文献２】特開平９−２０５６６２号公報
【特許文献３】特開２００５−３３３５０１号公報
【特許文献４】特開平９−３１２６８７号公報
【特許文献５】特開平１０−１２６４９５号公報
【特許文献６】特開２０００−１５１７９８号公報
【手続補正３】
【補正対象書類名】明細書
【補正対象項目名】００４１
【補正方法】変更
【補正の内容】
【００４１】
本発明の対象となる移動端末は、通常の携帯電話、ＰＨＳ端末等のような一体型の移動通信端末に限定されない。従来の移動通信端末内に組み込まれていた無線通信部分を別個の小型モジュールとして独立させた無線通信モジュールを、そのようなモジュールに対応した端末に挿入することにより、全体として移動通信端末として使用するような、新しい形態の端末（特開２００７−１１６２７７）に対しても使用することが可能である。ＰＨＳ向けのこのような無線通信モジュールの構成例を図４に示す。図４の無線通信モジュール４００は、アンテナ４０２、アンテナ・スイッチ４０４、送信部４０６及び受信部４０８、変調部４１０及び復調部４１２、時分割多元接続（ＴＤＭＡ）符号化部４１４及びＴＤＭＡ復号化部４１６、ＡＤＰＣＭトランスコーダ４１８、制御部４２０、フラッシュメモリ４２２、ランダム・アクセス・メモリ（ＲＡＭ）４２４、電源４２６、インターフェース部４２８からなる。図４の無線通信モジュール４００は、通常のＰＨＳ通信端末における無線通信部の各構成要素を含んでおり、また、例えばフラッシュメモリ４２２に電話帳等のデータを格納することができるなど、汎用性のある多機能通信モジュールである。